(57)【要約】【課題】  発射ハンドルの操作性の向上を従来に比して大幅に向上させ、しかも該発射ハンドルの構造を簡素化させて低コスト化できるように構成した遊技機を提供する。【解決手段】  パチンコ機１において、前扉７の表面と所定の間隔をあけると共に、前扉７の表面に沿うようにレール部材８０を配設し、発射ハンドル８１を上記レール部材８０にハンドル支持機構を介して摺動自在及び揺動自在に支持させるように構成する。これにより、遊技者が、自身の体格やそのときの疲労度等に合わせて発射ハンドル８１の位置を自由に移動させることができるようになる。【選択図】      図１
2007037739.tif 000002
【特許請求の範囲】
【請求項１】
枠体状の筐体と、該筐体に開閉自在に支持される前扉と、該前扉に配置された遊技球発射ハンドルと、を備え、前記前扉に支持される遊技盤の遊技領域に遊技球を打ち出して遊技してなる遊技機において、
前記前扉の表面に沿うように、かつ該表面から所定の間隔をあけた状態で配設される軌条部材と、
前記遊技球発射ハンドルを前記軌条部材に沿って摺動するように、かつ前記軌条部材を軸として揺動するように支持させるハンドル支持装置と、を備えてなる、
ことを特徴とする遊技機。
【請求項２】
前記ハンドル支持装置は、押圧操作されたときに前記遊技球発射ハンドルの前記軌条部材に対する摺動を許容し、かつ押圧解除されたときに前記遊技球発射ハンドルの前記軌条部材に対する摺動を阻止して該ハンドルを前記軌条部材に位置決め固定するハンドル位置調整機構を備えてなる、
ことを特徴とする請求項１に記載の遊技機。
【請求項３】
前記軌条部材は、左右幅方向両端にて前記前扉に固定され、かつ該両端から所定長さ斜め方向に向けて傾斜し、これら傾斜部の間を略々水平に延びてなる、
ことを特徴とする請求項１又は２に記載の遊技機。
【請求項４】
前記軌条部材を、前記前扉の上下高さ方向に移動可能に支持する上下移動支持装置を備え、
前記上下移動支持装置は、前記前扉の上下高さ方向での前記軌条部材の位置を複数段に調節、固定する軌条部材高さ調節機構を備えてなる、
ことを特徴とする請求項１ないし３のいずれか１項に記載の遊技機。
【発明の詳細な説明】
【技術分野】
【０００１】
本発明は、パチンコ機等の遊技機に係り、詳しくは遊技球発射ハンドルの操作性を向上させ得るようにした遊技機に関する。
【背景技術】
【０００２】
一般に、遊技機、例えばパチンコ機として、球受け皿に滞留している遊技球が、発射ハンドルの操作に応じて遊技盤の遊技領域に打ち出された後、遊技領域の障害釘や風車等に導かれつつ盤面を流下して、各種入賞口に入球し、或いは入球せずに遊技領域下部のアウト口に流入するように構成されたものが知られている（例えば、特許文献１参照）。
【０００３】
そして、上述したようなパチンコ機の中には、右利き及び左利きの人がそれぞれに円滑にハンドル操作を行い、遊技進行できるようにしたものが提案されている。例えば、パチンコ機の前面下部に、左右両端側に略同じく接近する横長のガイド溝を形成し、このガイド溝に打出しハンドルを移動自在に嵌装して構成することにより、右利きの人は打出しハンドルを着座した際の右手に近いガイド溝の右端側に移動させ、左利きの人は打出しハンドルを着座した際の左手に近いガイド溝の左端側に移動させてそれぞれ遊技を行うようにしたものが提案されている（例えば、特許文献２参照）。
【０００４】
【特許文献１】特開２００３−２３６２１０号公報
【特許文献２】特開平０６−１３４０８６号公報
【発明の開示】
【発明が解決しようとする課題】
【０００５】
ところで、上記特許文献２に記載されるようなパチンコ機においては、打出しハンドルを一般的なパチンコ機と逆側の左側下方に移動させることができるようになり、これまで左利きの遊技者に課せられていた、従来の右利き用の打出しハンドルを操作する際の負担や不便さ等は軽減されるものとなっている。
【０００６】
しかしながら、上記特許文献２に記載されたパチンコ機のように打出しハンドルが左右に移動できるものであったとしても、一般的なパチンコ機における幅や高さ等の規格は機種毎で全て一律であるため、標準より上背のある遊技者や小柄な遊技者等にとっては、必ずしも快適な位置で操作できるとは限らなかった。また、標準的な体格の遊技者であったとしても、パチンコ機における遊技を長時間に亘って行うと、同じ姿勢を継続することによる疲労が蓄積し、特に遊技球を打出す際に操作する操作ハンドルを把持している手や腕の疲労感は大きなものとなっていた。
【０００７】
また、上記特許文献２に記載されるようなパチンコ機では、打出しハンドルを左右方向に移動させる際にパチンコ機内部に設けた回転ベルトを正逆回転させることで移動させる構造となっているので、打出しハンドルの駆動構造が複雑化し、部品点数が増大することによるコスト高を招来する虞があった。
【０００８】
そこで本発明では、打出しハンドル（即ち、遊技球発射ハンドル）の操作性を従来に比して大幅に向上させ、しかも該発射ハンドルの構造を簡素化させて低コスト化できるように構成し、もって上述した課題を解決した遊技機を提供することを目的とするものである。
【課題を解決するための手段】
【０００９】
請求項１に係る本発明は（例えば図１ないし図７、及び図９参照）、枠体状の筐体（６）と、該筐体（６）に開閉自在に支持される前扉（７）と、該前扉（７）に配置された遊技球発射ハンドル（８１）と、を備え、前記前扉（７）に支持される遊技盤（３）の遊技領域（３ａ）に遊技球（Ｂａ）を打ち出して遊技してなる遊技機（１）において、
前記前扉（７）の表面に沿うように、かつ該表面から所定の間隔をあけた状態で配設される軌条部材（８０，８５）と、
前記遊技球発射ハンドル（８１）を前記軌条部材（８０，８５）に沿って摺動するように、かつ前記軌条部材（８０，８５）を軸として揺動するように支持させるハンドル支持装置（８２）と、を備えてなる、
ことを特徴とする遊技機（１）にある。
【００１０】
なお、本発明における上記「所定の間隔」は、設計や装飾性等といった要因によって任意に決定されるものとし、遊技機における操作性の低下を招かない程度の寸法（値）であればよく、その値は特に制限されるものではない。また、上記軌条部材は、「所定の間隔」をあけた状態で前扉に沿って配設されるとするが、軌条部材の全体に亘って等しく「所定の間隔」とならなくとも、おおよそ同等の間隔で配設されればよいものとする。
【００１１】
なお、本発明に係る遊技機は、少なくとも、始動入賞口への入賞を契機とした大当たり抽選に当選した際に、通常は閉塞しているアタッカーを開放させ、所定時間が経過した時機又は所定個数の遊技球がアタッカーに入賞した時機で閉塞させる動作を所定ラウンド数だけ繰り返し行う構成の所謂第１種特別電動役物と、遊技領域に始動入賞口と該始動入賞口への入賞に基づいて開閉する特定領域を含んだ特別入賞装置とを有し、該特別入賞装置の開放中に遊技球が入球し、更に当該遊技球が特定領域に入賞した時機で大当たりを発生させる構成の所謂第２種特別電動役物と、遊技領域に備えた所謂オープンチャッカーへの入賞時に開放した電動式チューリップへの入球後の特定入賞口への入賞にて大当たりの権利を発生させる構成の所謂第３種特別電動役物とに適用可能である。
【００１２】
請求項２に係る本発明は（例えば図２ないし図５参照）、前記ハンドル支持装置（８２）が、押圧操作されたときに前記遊技球発射ハンドル（８１）の前記軌条部材（８０，８５）に対する摺動を許容し、かつ押圧解除されたときに前記遊技球発射ハンドル（８１）の前記軌条部材（８０，８５）に対する摺動を阻止して該ハンドル（８１）を前記軌条部材（８０，８５）に位置決め固定するハンドル位置調整機構（９０）を備えてなる、
ことを特徴とする請求項１に記載の遊技機（１）にある。
【００１３】
請求項３に係る本発明は（例えば図１及び図３参照）、前記軌条部材（８０）が、左右幅方向両端（例えば図１における前壁部５３，５４）にて前記前扉（７）に固定され、かつ該両端から所定長さ斜め方向に向けて傾斜し、これら傾斜部（８０ａ）の間を略々水平に延びてなる、
ことを特徴とする請求項１又は２に記載の遊技機（１）にある。
【００１４】
請求項４に係る本発明は（例えば図９参照）、前記軌条部材（８５）を、前記前扉（７）の上下高さ方向に移動可能に支持する上下移動支持装置（８８）を備え、
前記上下移動支持装置（８８）は、前記前扉（７）の上下高さ方向での前記軌条部材（８５）の位置を複数段（例えば図９におけるガイド溝８６の上段部８６ａ、中央段部８６ｂ、下段部８６ｃ）に調節、固定する軌条部材高さ調節機構（８９）を備えてなる、
ことを特徴とする請求項１ないし３のいずれか１項に記載の遊技機（１）にある。
【００１５】
なお、上記カッコ内の符号は、図面と対照するためのものであるが、これは、発明の理解を容易にするための便宜的なものであり、特許請求の範囲の記載に何等影響を及ぼすものではない。
【発明の効果】
【００１６】
請求項１に係る本発明によると、遊技機の前扉表面に所定の間隔をあけて沿うように軌条部材を配設し、遊技球発射ハンドルを上記軌条部材にハンドル支持装置を介して摺動及び揺動自在に支持させてなるので、遊技球発射ハンドルを前扉に配設した軌条部材に沿って任意の位置に移動させると共に、該軌条部材を軸として任意の角度に位置決め調整することが可能になる。これによって、遊技者は、自身の体格やそのときの疲労度等に合わせて遊技球発射ハンドルの位置を自由に移動させ、好みの位置にして遊技することができる。また、遊技球発射ハンドルの位置や角度の変更調整を、軌条部材及びハンドル支持装置といった簡易な装置によって実現できるので、遊技機全体の構造が複雑化するのを抑えると共に、製造コストの上昇をも抑えることができる。
【００１７】
請求項２に係る本発明によると、ハンドル支持装置が、押圧操作されたときに遊技球発射ハンドルの軌条部材に対する摺動を許容し、かつ押圧解除されたときに遊技球発射ハンドルの軌条部材に対する摺動を阻止して該ハンドルを軌条部材に位置決め固定するハンドル位置調整機構を備えてなるので、軌条部材に沿った遊技球発射ハンドルの位置変更を簡便な操作で行うことができると共に、遊技球発射ハンドルを軌条部材に堅固に固定させることができる。これにより、遊技球発射ハンドルを軌条部材上で移動させる際の操作性が向上するだけでなく、遊技中に遊技球発射ハンドルが緩むことで遊技が中断したりすることを確実に回避することができる。
【００１８】
請求項３に係る本発明によると、軌条部材が、左右幅方向両端にて前扉に固定され、かつ該両端から所定長さ斜め方向に向けて傾斜し、これら傾斜部の間を略々水平に延びてなるので、遊技球発射ハンドルを前扉の左右両端近くで上下に移動させることができると共に、前扉の左右両端の間をも移動自在とさせることができる。これにより、遊技者は、遊技球発射ハンドルを、遊技者にとって都合の良い自由な位置に位置決めすることができ、更には、左利きの遊技者が遊技し易いと感じる、左手の正面位置に遊技球発射ハンドルを移動させることができる。
【００１９】
請求項４に係る本発明によると、軌条部材を、前扉の上下高さ方向に移動可能に支持する上下移動支持装置を備え、上下移動支持装置が、前扉の上下高さ方向での軌条部材の位置を複数段に調節、固定する軌条部材高さ調節機構を備えてなるので、前扉表面の全域で遊技球発射ハンドルの上下高さ位置を移動し、設定することができる。これにより、遊技者が長時間に亘って遊技を継続する場合であっても、同じ姿勢をとり続けることによって蓄積される疲労を軽減させるべく、遊技者にとってより良い姿勢となるような遊技球発射ハンドルの位置の選択及び位置決めをすることができる。
【発明を実施するための最良の形態】
【００２０】
以下、本発明に係る遊技機の実施形態として、遊技場等に設置されるパチンコ機を図面に沿って説明する。なお、後述する各実施の形態では、本発明の遊技機を所謂第１種特別電動役物を使用したパチンコ機として述べるが、本発明はこれに限らず、所謂第２種特別電動役物や所謂第３種特別電動役物等を使用したパチンコ機にも適用可能であることは勿論である。
【００２１】
図１は、本発明に係る実施の形態におけるパチンコ機の外部構造を示す正面図である。本パチンコ機１は、同図に示すように、発射ハンドル（遊技球発射ハンドル）８１の操作による発射装置７２（図７参照）の作動で遊技球（所謂パチンコ玉）を遊技盤３の遊技領域３ａに向かって打ち出しつつ遊技を行うもので、所謂確率変動等の大当たりが発生した状態でアタッカー５に入球した遊技球に対応する数の遊技球を払い出すように構成されている。
【００２２】
上記確率変動当たり（「確変当たり」とも言う）とは、抽選の結果、確変モードの大当たりが当選したとき、少なくとも当該確変モードによる遊技状態において次なる大当たりを引くまでの間、遊技者に有利な付加価値を付与し得る特殊状態を意味する。これに対し、当該特殊状態にならない大当たりとして「通常当たり」がある。
【００２３】
本パチンコ機１は、開口を有する枠体状の筐体６と、遊技盤３を支持した形で筐体６に開閉可能に支持された前扉７とを有しており、前扉７の前面には、透明ガラス９を有するガラス枠１０が、前扉７の遊技盤保持枠（図示せず）に対して開閉可能に取り付けられている。透明ガラス９の奥側には、遊技盤３が配設されている。前扉７における遊技盤３の左右には演出用照明装置１１が配設されており、前扉７における上部左右には、スピーカー（図示せず）を有する放音装置１２がそれぞれ配設されている。そして、前扉７の上部における放音装置１２の間には、演出用照明装置８が配設されている。
【００２４】
また、ガラス枠１０における中央部右方には、前扉７を筐体６側に施錠又は解放し、或いは、ガラス枠１０を前扉７側に施錠又は解放するための施錠装置１３が配設されている。なお、図１中の符号１４は、発射装置７２によって打ち出された遊技球を遊技盤３側に案内するガイドレールを示している。本パチンコ機１には、遊技中に遊技領域３ａにて入賞することなく落下してアウト口（図示せず）に進入した遊技球をパチンコ機背面側に導くアウト球通路（図示せず）が設けられている。
【００２５】
そして、前扉７における下部中央には上皿１６が設けられており、上皿１６における右上部には、賞球及び貸球を含む遊技球が供給される球供給口１７が設けられ、上皿１６における右上部壁面には、球貸ボタン１９ａ及びプリペイドカード返却ボタン１９ｂが設けられている。上皿１６の前壁左部には、該上皿１６上の遊技球を不図示の球排出口を通して、上皿１６下方の下皿１８に排出するための第１球抜きボタン２０ａが配設されている。この下皿１８には、下皿１８上の遊技球を下皿１８の底部に位置する不図示の排出口を通して下方に排出する第２球抜きボタン２０ｂが配設されている。なお、上述のように、本実施形態の前扉７には、ガラス枠１０、上皿１６、下皿１８及びその周辺、不図示の遊技盤保持枠等が含まれている。
【００２６】
また、前扉７における上皿１６と下皿１８との間で、上皿１６の下部左方の前壁部５３から下部右方の前壁部５４に亘っては、レール部材（軌条部材）８０が延在するように配設されている。このレール部材８０には、ハンドル支持機構（ハンドル支持装置）８２（図２参照）を介して、発射ハンドル８１が摺動と位置決め固定を選択可能に支持されている。そして、下皿１８の左方には、灰皿２１が配設されている。
【００２７】
また、遊技領域３ａの中央部分には、遊技球ステージＳを有するセンター飾り２３が配設されている。センター飾り２３の左右下方には、それぞれ大当たり抽選に寄与しない一般の入賞が行われる入賞口２５，２６が配設されており、センター飾り２３の直下方には、始動チャッカー２７と、アタッカー５とが順次配設されている。
【００２８】
始動チャッカー２７は、大当たり抽選実行の契機となり得る入賞が行われるものであり、開放位置と閉止位置とに開閉動作するように始動チャッカー開閉ソレノイド７０（図７参照）によって作動させられる。始動チャッカー２７の直上方には、所謂命釘としての一対の障害釘３０が打ち込まれている。
【００２９】
アタッカー５は、大当たり発生時に開放され、遊技盤３の遊技領域３ａに打ち出されて転動落下する遊技球を入賞させるものであり、大当たり発生中、例えば、１回の開放で１０個の入球を完了した時点で閉じ、当該開閉動作を１５回繰り返すように構成される。なお、これらの入球数並びに開閉動作の回数は、１０個や１５回に限定されることはなく、必要に応じて適宜設定され得るものである。
【００３０】
遊技領域３ａには、センター飾り２３の四方に風車３１が配設されており、遊技球ステージＳの下方における始動チャッカー２７の左側に、普通図柄作動ゲート（スルーゲート）３２が配設されている。この普通図柄作動ゲート３２は、始動チャッカー２７を開閉動作させるための抽選の契機となる遊技球通過が行われる役物である。
【００３１】
遊技領域３ａにおける普通図柄作動ゲート３２、入賞口２５，２６及び始動チャッカー２７等の周囲には、遊技球ステージＳから零れた遊技球や、発射されてから遊技球ステージＳに関与せずに落下してくる遊技球を適宜散らし、或いは入球に導くようにするための障害釘３３を含む多数の障害釘が打ち込まれている。
【００３２】
上記センター飾り２３は、遊技盤３側に固定された図柄表示装置３５を露出する開口３６を中央部に、ワープ導入口３７を左上部に、該ワープ導入口３７に連通する放出口４を左下部に、遊技球ステージＳを開口３６の下側に、球放出口４９を該ステージＳの中央下部にそれぞれ有している。また、ワープ導入口３７の対向位置には、一対の障害釘３９が打ち込まれている。ワープ導入口３７の周囲や上方側にも、遊技球を適宜散らし、或いは入球に導くようにするための多数の障害釘（図示せず）が打ち込まれている。このような本パチンコ機１では、遊技領域３ａに打ち出された遊技球Ｂａを始動チャッカー２７等に、遊技球ステージＳを介して入球させ又は該ステージＳを介さず直接入球させ得るように遊技が進められる。
【００３３】
なお、上記「ワープ導入」という語句は、遊技領域３ａに打ち出された遊技球を、当該遊技領域３ａの比較的下側に位置する不図示の道釘等を経ることなく、始動チャッカー２７の上に導くことを意味する概念である。また、上記「道釘」とは、遊技領域３ａにおいて始動チャッカー２７左右に打ち込まれた複数本の障害釘（図示せず）の列を意味するもので、上方から転動落下してきた遊技球を始動チャッカー２７方向に導く役割を担っている。
【００３４】
次に、本発明の特徴であるレール部材８０、発射ハンドル８１、及びハンドル支持機構８２について、図２ないし図５を参照して詳細に説明する。図２はレール部材と発射ハンドルとハンドル支持機構とを近接した状態で示す斜視図、図３はレール部材、発射ハンドル、及びハンドル支持機構の全体構造を示す斜視図、図４はレール部材、発射ハンドル、及びハンドル支持機構の概略側面図、図５はハンドル支持部の概略断面図である。
【００３５】
すなわち、レール部材８０は、図３に示すように、略々棒形状を呈しており、その中間直線状部分の両端から各端部に向かっては、所定長さ（例えば２０〜３０ｃｍ）斜め方向に向けて傾斜（例えば中間直線状部分に対してそれぞれ略々直角）する傾斜部８０ａ，８０ａを有することで両者とも同一方向に屈曲している。そして、レール部材８０は、上記中間直線状部分が水平にされ、その左右端部が遊技領域３ａに向かうように上方側に屈曲して前扉７上の前壁部５３，５４にてそれぞれ固定支持されている。これにより、レール部材８０全体は、前扉７の表面に沿うように、かつ表面から所定の間隔（例えば３〜４ｃｍ程度の間隔）をあけた状態で配設されることとなる。
【００３６】
発射ハンドル８１は、図２に示すように、ハンドル支持部８２ａと、該ハンドル支持部８２ａの上部に配置されて締着機構９０の締着の度合を操作するプッシュボタン８２ｂと、上記ハンドル支持部８２ａに固着された固定部８１ｃと、固定部８１ｃに対する所定角度範囲内での回転を可能に支持された発射操作部８１ａと、発射操作部８１ａの前面側にほぼ半球形状に形成されたハンドルカバー８１ｂと、ハンドル支持機構８２とを備えている。発射操作部８１ａは、遊技者が指を掛けて回転操作を行う際の指保持部であり金属材料にて形成され、タッチセンサ等を有する接触検出手段７５（図７参照）に接続されることによって、人体の接触、つまり、遊技者の手や指等の接触状態を検出する。
【００３７】
上記ハンドル支持機構８２は、ハンドル支持部８２ａの内部に、レール部材８０との接触点でありレール部材８０を締着して位置決め固定する図５に示す締着機構（ハンドル位置調整機構）９０を有している。が配設されている。
【００３８】
そして、発射ハンドル８１が操作された際のハンドル操作角度の信号や、上記タッチセンサ等から発生する遊技者の接触状態の信号等は、図２に示すハーネス８３によって後述する遊技制御装置５４へ送信される。このハーネス８３は、ハンドル支持部８２ａの背面側（図１の奥側）から、前扉７上であってレール部材８０の直後方（図１の奥側）に重なるように設けられた長穴部８４を介してパチンコ機１の内部へと引き回しされる。
【００３９】
上記締着機構９０は、図５に示すように、レール部材８０の外周面を囲繞する締着部材９１と、該締着部材９１を更に外側から囲繞すると共にレール部材８０側に向かって締め付け力を加える薄板金属製の締付部材９２と、該締付部材９２の一側を固着させる終端固定部９３と、締付部材９２をよりレール部材８０に近接した位置に保持する従動プーリ９４と、プッシュボタン８２ｂを矢印Ｄ２の向きに付勢する圧縮ばね９５とを備えている。
【００４０】
また、締着部材９１は、レール部材８０の円周方向にて互いの間に所定の間隔を有する形で複数に分割された所謂ブレーキシュー状の部材からなり、図５における紙面奥側又は手前側がハンドル支持部８２ａの内面に、レール部材８０に対する軸方向移動を規制された形で連結支持（以下、連結部分と言う）されている。この締着部材９１は、圧縮ばね９５の付勢力を受けた締付部材９２によって外周側から締め付け力が付与されたとき、締着部材９１それぞれの間隔を狭めてレール部材８０を堅固に締め付け、その際の摩擦力にて、レール部材８０を強く保持すると同時に、互いの間隔を狭めた複数の締着部材９１の端部にてハンドル支持部８２ａ内面の上記連結部分を強く保持する。これにより、レール部材８０と、締着部材９１が支持されるハンドル支持部８２ａとの相対移動（摺動及び揺動を含む）が阻止されて、発射ハンドル８１がレール部材８０に堅固に位置決め固定される。
【００４１】
すなわち、締着機構９０は、通常時において、圧縮バネ９５の矢印Ｄ２方向の付勢力によりプッシュボタン８２ｂを付勢して締付部材９２を引っ張り、締着部材９１を押圧することでレール部材８０を締め付けて、ハンドル支持機構８２をレール部材８０に締着させる。なお、レール部材８０の外周側の面にシボ加工を施し（細かな多数の突起やギザギザ模様を施してもよい）、両面間の摩擦力をより大きくすることによって、ハンドル支持機構８２をレール部材８０に締着させる際の安定性を向上させるようにしてよいことは勿論である。そして、プッシュボタン８２ｂが押下された際（すなわち、プッシュボタン８２ｂが矢印Ｄ１の向きに移動した際）には、締付部材９２への張力が弱められ、レール部材８０に対する締着力が弱まり、ハンドル支持機構８２及びこれに固着された発射ハンドル８１はレール部材８０の長手方向（図３における矢印Ａ，Ｂの方向）へ摺動自在となる。
【００４２】
そして、上述したように、プッシュボタン８２ｂが押下された際には、レール部材８０を軸とした図４の矢印Ｃに示す方向へも揺動させることができるようになる。このように、レール部材８０の長手方向への摺動が自在となり、かつレール部材８０を軸とした揺動（回動）が自在となることによって、一般的なパチンコ機における発射ハンドルに比して、本実施の形態における発射ハンドル８１の位置及び向きの自由度は格段に増すこととなる。
【００４３】
ついで、本パチンコ機１の背面構造について図６を参照して説明する。同図は、本パチンコ機１の背面構造を示す背面図である。
【００４４】
すなわち、図６に示すように、パチンコ機１の前扉背面における上部左方には、賞球タンク４３が取り付けられており、この賞球タンク４３の下方に、サブ基板（サブ制御基板）３８、主基板（主制御基板）４０、及び払出し制御基板６１がこの順に配置されている。また、前扉背面における上部右方には、外部端子板６２が取り付けられており、この外部端子板６２の下方に、整列待機通路４５、賞球装置４６、賞球排出通路４７、電源ユニット４１、及び発射装置（図示せず）用の発射制御基板６３がこの順に配置されている。パチンコ機１の前扉背面における左側部には、施錠装置１３が配設されている。
【００４５】
次に、本実施形態におけるパチンコ機１の制御系を図７に沿って説明する。なお、同図は本パチンコ機の制御系を示すブロック図である。
【００４６】
すなわち、本制御系は、遊技制御装置５４と、該遊技制御装置５４に電気的に接続された、始動チャッカー開閉ソレノイド７０、アタッカー開閉ソレノイド７１、放音装置１２、演出用照明装置８，１１、図柄表示装置３５、発射装置７２、及び発射ハンドル８１と、を備えている。
【００４７】
遊技制御装置５４は、図６に示した主基板４０やサブ基板３８等から構成されている。主基板４０は、本パチンコ機１の動作全体を統括的に管理するものであり、当該パチンコ機１の動作全体を管理するシステムプログラム及び遊技用の実行プログラムが予め記憶された半導体メモリ等からなる記憶部（図示せず）と、これらのプログラムを実行する不図示のマイクロプロセッサ（ＭＰＵ）とを備えている。また、サブ基板３８は、主に画像表示、効果音等の演出、効果光等の表示制御を行うように構成されている。
【００４８】
遊技制御装置５４は、入賞判定手段５５、入賞信号出力手段５６、抽選手段５７、遊技制御手段５９、保留手段６０、作動制御手段６１、作動判定手段６２、作動決定手段６３、演出制御手段６４、表示制御手段６５、及び発射制御手段６６を備えている。
【００４９】
入賞判定手段５５は、発射ハンドル８１の操作で作動する発射装置７２によって遊技領域３ａに打ち出された遊技球が始動チャッカー２７、入賞口２５，２６、アタッカー５等の何れかに入賞したとき、当該入賞があった旨を判定する。
【００５０】
入賞信号出力手段５６は、入賞判定手段５５によって入賞が判定されたとき、対応する始動チャッカー２７、入賞口２５，２６、アタッカー５等に入賞した旨の入賞信号を出力する。
【００５１】
抽選手段５７は、入賞信号出力手段５６からの入賞信号の入力時、最大保留球数（例えば４個）未満での入賞を契機として、次なる大当たりを当選させるまで遊技者に有利な付加価値を付与し得る特殊状態となる確率変動当たり、及び上記特殊状態とならない通常当たりのうちの何れか一方に当選するように、不図示の抽選用メモリから当たり当選乱数値を取得して、大当たり抽選を実行する。
【００５２】
そして、抽選手段５７は、大当たり抽選で確変当たりに当選した場合、不図示の演出用メモリに格納された演出乱数値に基づく抽選で、変動の結果、確変当たりに対応する「１１１」、「３３３」や「７７７」等の図柄が図柄表示装置３５の大当たり有効ライン上で最終的に揃う旨の変動パターンを決定し、その旨の変動パターン信号を出力する。なお、上記「大当たり有効ライン」は、大当たりを得るため図柄が一列に並ぶべき位置（ライン）を意味する。
【００５３】
遊技制御手段５９は、放音装置１２、演出用照明装置８，１１に放音、発光の演出をさせる契機となる指令を、演出制御手段６４に送る。また、遊技制御手段５９は、予め設定された演出データや、抽選手段５７での抽選結果に応じて、図柄表示装置３５に表示すべき演出内容に関する信号を、表示制御手段６５に送る。
【００５４】
保留手段６０は、抽選手段５７から出力された変動パターン信号を入力し、変動パターンを、始動チャッカー２７への入賞の都度に行われた抽選の結果となる保留球として順次記憶する。当該記憶状況は、大当たり抽選保留表示装置（図示せず）に、最大４個の保留球として点灯表示される。保留手段６０は、例えば保留球数Ｈが０＜Ｈ＜５であるか否かを常時判定し、保留球数Ｈが４個表示されている間は、始動チャッカー２７への入賞に拘わらず大当たり抽選は行わない。なお、保留球として点灯表示される保留球数は上記「最大４個」に限らず、例えば３個以下、又は５個以上として適宜設定することも可能である。
【００５５】
そして保留手段６０は、保留（記憶）している変動パターンに係る信号を順次出力し、その変動パターン信号に基づく演出表示が終了するまでは次の変動パターン信号を出力しないようにするための図柄変動禁止フラグを立てる（オンする）と共に、当該オンした図柄変動禁止フラグを解除する時間を計測するための図柄変動タイマ（図示せず）をセットし、変動パターン信号の出力に応じて保留球数を１デクリメントする。また保留手段６０は、保留球の消費に応じて保留球数ＨがＨ＜４となった場合、抽選手段５７で行われる始動チャッカー２７への入賞に応答した大当たり抽選の結果を保留球として記憶し、保留球数を１インクリメントする。
【００５６】
作動制御手段６１は、作動決定手段６３の作動開始決定の旨の信号に基づき、始動チャッカー開閉ソレノイド７０に駆動信号を送って該ソレノイド７０を作動させ、始動チャッカー２７を開放又は閉塞動作させる。更に作動制御手段６１は、アタッカー開閉ソレノイド７１に駆動信号を送って該ソレノイド７１を作動させ、抽選手段５７での抽選による大当たり発生時にアタッカー５を開放して所定数入賞が終了する（又は所定時間が経過する）毎に閉塞する動作を所定回数（所定ラウンド）だけ繰り返すように制御する。
【００５７】
作動判定手段６２は、始動チャッカー開閉ソレノイド７０及びアタッカー開閉ソレノイド７１を作動させるための条件を満たすか否かを判定する。つまり、始動チャッカー開閉ソレノイド７０にあって、始動チャッカー２７の開閉の「条件を満たす」時とは、抽選手段５７の大当たり抽選とは別途行われる抽選で当選した場合である。アタッカー開閉ソレノイド７１にあって、アタッカー５の開放の「条件を満たす」時とは、所謂リーチ（所謂スーパーリーチ、ノーマルリーチを含む）の状態から３つの同じ図柄が大当たり有効ライン上で揃って大当たりが発生した場合であり、アタッカー５の閉塞の「条件を満たす」時とは、大当たり発生時における全ての入賞を完了した場合である。
【００５８】
作動決定手段６３は、作動判定手段６２からの判定信号を受けて、始動チャッカー開閉ソレノイド７０、アタッカー開閉ソレノイド７１の作動開始を夫々に決定する。
【００５９】
演出制御手段６４は、遊技制御手段５９からの指令に応答して、放音装置１２を放音駆動し、演出用照明装置８，１１を発光駆動し、遊技者の聴覚や視覚に訴える演出を行う。表示制御手段６５は、遊技制御手段５９からの信号に従って、図柄表示装置３５を駆動し、大当たり抽選結果を中心とした内容等の演出を、遊技者の視覚に訴えるように演出表示する。
【００６０】
発射制御手段６６は、発射ハンドル８１が操作され、接触検出手段７５が遊技者の手等による接触を検出した状態において、回転角検出手段７４により検出されたハンドル操作角度の信号を受信したとき、該信号に対応して発射装置７２を作動させ、不図示のハンマーの動作で遊技球を遊技領域３ａに向けて順次打ち出させる。
【００６１】
また、始動チャッカー開閉ソレノイド７０は、作動制御手段６１から送信された駆動信号に応答してプランジャ（図示せず）を進退動作させて、始動チャッカー２７を開閉動作させる。アタッカー開閉ソレノイド７１は、作動制御手段６１から送信された駆動信号に応答してプランジャ（図示せず）を進退動作させて、アタッカー５を開閉動作させる。
【００６２】
放音装置１２は、演出制御手段６４の制御に従ってスピーカー（図示せず）を駆動させ、演出に応じた効果音を発する。演出用照明装置８，１１は、演出制御手段６４の制御に従ってその内蔵する不図示の電飾ランプやＬＥＤ等を発光駆動（点灯、点滅）させ、演出に応じた照明を行う。図柄表示装置３５は、表示制御手段６５の制御に従って作動し、演出データや抽選手段５７での抽選結果に応じた演出表示を行う。
【００６３】
発射装置７２は、発射制御手段６６からの発射制御信号に応答して不図示のハンマーを作動させ、遊技球を順次遊技領域３ａに打ち出す。
【００６４】
また、発射ハンドル８１は、回転角検出手段７４、及び接触検出手段７５を備えている。
【００６５】
回転角検出手段７４は、回転方向の機械的変位量をデジタル量に変換して検出信号として出力するロータリ・エンコーダや、デジタル量又はアナログ量に変換して検出信号として出力するポテンショメータ等からなるものであり、発射ハンドル８１の固定部８１ｃに対して回動する発射操作部８１ａの時計回り方向（図１の矢印Ｒ方向）での回転角度を検出し、その検出信号を発射制御手段６６に送信する。
【００６６】
接触検出手段７５は、発射ハンドル８１の発射操作部８１ａに遊技者の手や指等が接触したことを検出し、その検出信号を発射制御手段６６に送信する。
【００６７】
次に、本パチンコ機１による作用について、図８のフローチャートを併せて参照しつつ説明する。
【００６８】
すなわち、本パチンコ機１に対面して着座した遊技者が発射ハンドル８１を握り、適宜の角度に回動操作すると（ステップＳ１）、接触検出手段７５による検出信号を受信した発射制御手段６６が、回転角検出手段７４からの発射操作部８１ａの回転角の検出信号に基づいて発射装置７２を制御し、それにより、該発射装置７２の作動で遊技球を所定の時間間隔で遊技領域３ａに向けて連続的に発射させる。すると、遊技領域３ａに打ち出されて転動落下する多数の遊技球は、始動チャッカー２７や入賞口２５，２６に適時入賞し、或いは、これらに関与せずに転動落下して、遊技領域３ａ最下部のアウト口（図示せず）から遊技盤３背面側に排出される。
【００６９】
つまり、遊技領域３ａに向けて打ち出された多数の遊技球Ｂａは、その一部がワープ導入口３７から導入されて放出口４から遊技球ステージＳ上に放出され、その一部が球放出口４９から放出されて始動チャッカー２７に向け落下し、この始動チャッカー２７に高確率で入賞する。この際、障害釘３０への当接状況によっては、始動チャッカー２７に入賞できないこともある。一方、球放出口４９からではなく遊技球ステージＳから直接に落下する遊技球Ｂａは、始動チャッカー２７と異なる方向に向かう。この際、当該遊技球Ｂａは、落下方向が、始動チャッカー２７上の一対の障害釘３０の間を通過して入球し得る方向と異なっても、障害釘３０の左右に打ち込まれた所謂ジャンプ釘（図示せず）や、このジャンプ釘から左右方向に配列された道釘（図示せず）で弾き返されることで、障害釘３０に絡んでその間を落下して始動チャッカー２７に入球することもある。
【００７０】
ところで、上述したように始動チャッカー２７や入賞口２５，２６の何れかに遊技球Ｂａが入賞した場合、入賞判定手段５５が当該入賞を判定し、且つ入賞信号出力手段５６が入賞信号を出力する（ステップＳ２）。この際、保留手段６０は、保留球Ｈが０＜Ｈ＜５であるか否かを常時判定しており、０＜Ｈ＜５を満たすと判定したときには、保留している変動パターンに係る信号を、遊技制御手段５９を介して表示制御手段６５に順次送信し、図柄変動禁止フラグをオンすると共に、図柄変動タイマをセットし、変動パターン信号の送信に応じて保留球数を１デクリメントする。また保留手段６０は、当該保留球の消費に応じて保留球数ＨがＨ＜４となった場合、抽選手段５７で行われる始動チャッカー２７への入賞に応じた大当たり抽選の結果を保留球として記憶し、保留球数を１インクリメントする。
【００７１】
そして、ステップＳ３にて、大当たり抽選で当選した場合には、抽選手段５７が当たりフラグをオンすると、抽選手段５７が、演出用メモリに格納された演出乱数値に基づく抽選で、大当たりの種別、つまり確変当たり又は通常当たりに対応する変動パターンを決定する。
【００７２】
これにより、ステップＳ４において、図柄表示装置３５に表示されるべき当たり図柄がセットされ、抽選手段５７は、その旨の変動パターン信号を出力すると共に、当該変動パターン信号に基づく演出表示が終了するまでは次の変動パターン信号を送信しないようにするために図柄変動禁止フラグをオンし、当該オンした図柄変動禁止フラグを解除する時間を計測するための図柄変動タイマをセットし、変動パターン信号の送信に応じて保留球数を１デクリメントする。
【００７３】
一方、ステップＳ３にて、大当たり抽選で外れた場合には、演出用メモリに格納された演出乱数値に基づく抽選で、変動の結果、外れに対応する図柄が最終的に揃う旨の変動パターンが決定される。これにより、図柄表示装置３５に表示される外れ図柄がセットされ、抽選手段５７は、その旨の変動パターン信号を出力すると共に、図柄変動禁止フラグをオンし、図柄変動タイマをセットし、変動パターン信号の送信に応じて保留球数を１デクリメントする。
【００７４】
以上のようにして、遊技制御手段５９が、図柄表示装置３５に表示すべき演出内容に関する信号を、表示制御手段６５に送信することに基づき、表示制御手段６５は、図柄表示装置３５を適時駆動し、大当たり抽選結果に関する内容等を、遊技者の視覚に訴えるように演出表示することとなる（ステップＳ５）。
【００７５】
そして、図柄表示装置３５の画面上に表れた抽選結果が大当たり決定である場合、作動制御手段６１は、作動決定手段６３の作動開始決定の旨の信号に基づき、所定のタイミングでアタッカー開閉ソレノイド７１に駆動信号を送り、当該ソレノイド７１を作動させてアタッカー５を開放し、所定数入賞が終了する（又は所定時間が経過する）毎に閉塞する動作を所定回数（所定ラウンド）だけ繰り返させる。これにより、アタッカー５に入賞した遊技球に対応する多量の遊技球が球供給口１７から上皿１６に払い出されることとなる（ステップＳ６）。
【００７６】
ところで、パチンコ機１における上記したような遊技を、例えば、長身の遊技者が着座して行う際には、遊技球の打出しを行う発射ハンドル８１が通常の位置（一般的なパチンコ機における発射ハンドルの位置）では低く感じてしまう場合がある。このような場合には、ハンドル支持機構８２上部に位置するプッシュボタン８２ｂを押圧操作することで締着機構９０における締着の度合を弱め、右方の傾斜部８０ａに沿って発射ハンドル８１を上方（例えば、図３に示す矢印Ｂの上向き方向）に摺動させる。そして、適度な位置まで摺動させると、プッシュボタン８２ｂを押圧解除し、発射ハンドル８１を再びレール部材８０に締着させて遊技を行うことができる。これにより、仮に遊技者が長身であった場合には、自身の体格に適した高い位置に発射ハンドル８１を移動させ、遊技を行うことができるようになる。
【００７７】
また、例えば、小柄な遊技者が遊技を行う際には、上記と同様、プッシュボタン８２ｂを押圧操作した状態のまま発射ハンドル８１を傾斜部８０ａに沿って下方（例えば、図３の矢印Ｂの下向き方向）に摺動させ、更にそのまま中間直線状部分へと水平（例えば、図３の矢印Ａの左向き方向）に摺動させる。そして、適度な位置でプッシュボタン８２ｂを押圧解除し、発射ハンドル８１を再びレール部材８０に締着させて遊技を行うことができる。これにより、仮に遊技者が小柄であった場合には、自身の体格に適した低めの位置に発射ハンドル８１を移動させ、遊技を行うことができるようになる。
【００７８】
また、パチンコ機１における遊技を長時間（例えば２〜５時間）に亘って行うような際には、発射ハンドル８１を締着させる位置を、前術した例のようにレール部材８０に沿って適宜移動させると共に、発射ハンドル８１の角度をレール部材８０を軸として適度に揺動させ、変位させることができる。これにより、遊技者は、その時点での疲労の具合に応じて発射ハンドル８１の位置や角度をレール部材８０に沿って自在に変更することができるようになる。
【００７９】
更に、遊技者が左利きの場合にあっては、一般的なパチンコ機における発射ハンドルとは逆側の位置（図１の向かって左側）に、発射ハンドル８１をレール部材８０に沿って摺動させ、そのまま締着させて遊技を行うことができる。これにより、遊技者が左利きの場合であっても、利き腕の正面で発射ハンドル８１を操作しながら遊技を行うことができるようになる。
【００８０】
次いで、レール部材８０の変形例を、図９を参照して説明する。図９は当該変形例におけるレール部材を示す斜視図である。なお、本変形例に係るパチンコ機１において、図１ないし図５と同一の符号は、同一又は相当部分を示し、その説明を省略する。
【００８１】
すなわち、レール部材（軌条部材）８５は、図９に示すように、放物線を描くような略々Ｕ字形状を呈していて、後述のガイド溝８６及び回転軸８７を含むレール部材高さ調節機構（軌条部材高さ調節機構）８９を備えた上下移動支持装置８８により、前扉７の上下高さ方向に移動可能に支持されている。レール部材８５は、不図示のバネ等の付勢手段による適度の力で図９の右方向に付勢されている。
【００８２】
つまり、レール部材８５の左右は、前扉７の前壁部５３，５４にそれぞれ開口された縦長の穴部であって、かつその上段部、中央段部、下段部の一側に略円形状の穴部８６ａ，８６ｂ，８６ｃが形成された上記ガイド溝８６へと挿入されている。このガイド溝８６から挿入されているレール部材８５の左右端部には、前扉７の背面にて水平方向に延在して配設されている回転軸８７，８７（図９において前扉７の背面に位置するものは破線で示されている）がそれぞれ軸支されており、レール部材８５は該回転軸８７，８７を軸として上下高さ方向へ揺動されることとなる。
【００８３】
ここで、図９に示す発射ハンドル８１は、上記したガイド溝８６の中央部の穴部（中央段部）８６ｂに掛けられたレール部材８５に締着され、その締着された位置はレール部材８５の右方となっているため、一般的なパチンコ機に固着されている発射ハンドルと略々同様の位置に配設されていることとなる。
【００８４】
そして、例えば、この発射ハンドル８１を上下高さ方向で位置を変えるには、レール部材８５を、上記付勢手段の付勢力に抗して矢印Ｅ１の向きにずらし、そのままガイド溝８６の左内壁面に沿って矢印Ｆ１の向きに持ち上げる。次に、レール部材８５を上記付勢力に準じて矢印Ｅ２の向きにずらしてガイド溝８６の上部の穴部（上段部）８６ａに掛けると、発射ハンドル８１の位置を上方に移動させて位置決め固定することができる。また、逆に、ガイド溝８６の穴部（中央段部８６ｂ）に掛けられているレール部材８５を、矢印Ｅ１の向きにずらし、そのままガイド溝８６に沿って矢印Ｆ２の向きに下ろす。そして、レール部材８５を矢印Ｅ２の向きにずらしてガイド溝８６の下部の穴部（下段部）８６ｃに掛けると、発射ハンドル８１の位置を下方に移動させて位置決め固定することができる。このように、レール部材８５の高さ方向の位置は、ガイド溝８６の上部、中央部、下部に設けられた各穴部８６ａ，８６ｂ，８６ｃを用いることによって３段階に調節することができるようになる。
【００８５】
なお、上記変形例においては、高さが３段階に調節できるとして説明を行ったが、これについては特に制限されるものではなく、段数をいくつに設定してもよいものとする。また、発射ハンドル８１は、上記したような上下高さ方向の位置の移動に加え、レール部材８５を軸として揺動させることによってきめ細かく位置及び角度の変更ができることは勿論である。
【００８６】
また、本変形例における上下移動支持装置８８の構成を、先に説明した実施の形態に適用してもよいことは勿論である。
【００８７】
以上説明した本実施の形態におけるパチンコ機１では、前扉７の表面に所定の間隔（例えば４ｃｍ程度）をあけて沿うようにレール部材８０を配設し、発射ハンドル８１を上記レール部材８０にハンドル支持機構８２を介して摺動及び揺動自在に支持させてなるので、発射ハンドル８１を前扉７に配設したレール部材８０に沿って任意の位置に移動させると共に、該レール部材８０を軸として任意の角度に位置決めすることが可能になる。これによって、遊技者は、自身の体格やそのときの疲労度等に合わせ、発射ハンドル８１をレール部材８０上の自由な位置に移動させることができるようになる。また、発射ハンドル８１の設置位置や角度の変更を、レール部材８０及びハンドル支持機構８２といった簡易な装置によって実現できるので、パチンコ機１全体の構造が複雑化するのを抑えると共に、製造コストの上昇をも抑えることができるようになる。なお、上述した点については、図９に示したレール部材８５を用いたパチンコ機１においても同様の効果が奏される。
【００８８】
また、ハンドル支持機構８２が、プッシュボタン８２ｂを押圧操作されたときに発射ハンドル８１のレール部材８０に対する摺動を許容し、かつプッシュボタン８２ｂを押圧解除されたときに発射ハンドル８１のレール部材８０に対する摺動を阻止して該発射ハンドル８１をレール部材８０に位置決め固定するハンドル支持部８２ａを備えてなるので、レール部材８０に沿った発射ハンドル８１の位置変更を簡便な操作で行うことができると共に、発射ハンドル８１をレール部材８０に堅固に固定することができるようになる。これにより、発射ハンドル８１をレール部材８０上で移動させる際の操作性が向上するだけでなく、遊技中に発射ハンドル８１が緩むことで遊技が中断したりする不都合の発生を確実に回避することができる。なお、上述した点については、図９に示したレール部材８５を用いたパチンコ機１においても同様の効果が奏される。
【００８９】
また、レール部材８０が、左右幅方向両端の前壁部５３，５４に固定され、かつ該両端から所定長さ（例えば２０〜３０ｃｍ）斜め方向に向けて傾斜（略々直角）し、これら傾斜部の間を略々水平に延びてなるので、発射ハンドル８１を前扉７の左右両端近くで上下に移動させることができると共に、前扉７の左右両端の間でも移動自在とすることができるようになる。これにより、遊技者は、発射ハンドル８１を、遊技者にとって都合の良い自由な位置に決定することができるようになり、更には、発射ハンドル８１を前扉７の左側に移動させることで、左利きの遊技者が遊技し易いと感じられる位置に発射ハンドル８１を移動させることができるようになる。
【００９０】
また、レール部材８５を、前扉７の上下高さ方向に移動可能に支持する上下移動支持装置８８を備え、該上下移動支持装置８８が、前扉７の上下高さ方向でのレール部材８５の位置を複数段に調節、固定するレール部材高さ調節機構８９を備えてなるので、前扉７表面の全域で発射ハンドル８１の上下高さ位置を移動し、設定することができるようになる。これにより、遊技者が長時間に亘って遊技を継続する場合であっても、同じ姿勢をとり続けることにより蓄積される疲労を軽減するべく、遊技者にとってより良い姿勢となるような発射ハンドル８１の位置の選択及び設定をすることができるようになる。なお、これらの作用効果は、先の実施形態におけるレール部材８０に関しても同様に得ることが可能である。
【００９１】
以上、本発明をその好適な実施の形態に基づいて説明したが、本発明の遊技機は、上記実施形態の構成にのみ限定されるものではなく、上記実施形態の構成から種々の修正及び変更を施した遊技機も、本発明の範囲に含まれる。
【図面の簡単な説明】
【００９２】
【図１】本発明に係る実施の形態におけるパチンコ機の外部構造を示す正面図である。
【図２】レール部材と発射ハンドルとハンドル支持機構とを近接した状態で示す斜視図である。
【図３】レール部材、発射ハンドル、及びハンドル支持機構の全体構造を示す斜視図である。
【図４】レール部材、発射ハンドル、及びハンドル支持機構の概略側面図である。
【図５】ハンドル支持部の概略断面図である。
【図６】本パチンコ機の背面構造を示す背面図である。
【図７】本実施の形態におけるパチンコ機の制御系を示すブロック図である。
【図８】本パチンコ機の作用を説明するためのフローチャートである。
【図９】レール部材の変形例を示す斜視図である。
【符号の説明】
【００９３】
１：遊技機（パチンコ機）
３：遊技盤
３ａ：遊技領域
６：筐体
７：前扉
８０：軌条部材（レール部材）
８０ａ：傾斜部
８１：遊技球発射ハンドル（発射ハンドル）
８２：ハンドル支持装置（ハンドル支持機構）
８５：軌条部材（レール部材）
８９：軌条部材高さ調節機構（レール部材高さ調節機構）
８８：上下移動支持装置
９０：ハンドル位置調整機構（締着機構）
Ｂａ：遊技球
【図１】
2007037739.tif 000003
【図２】
2007037739.tif 000004
【図３】
2007037739.tif 000005
【図４】
2007037739.tif 000006
【図５】
2007037739.tif 000007
【図６】
2007037739.tif 000008
【図７】
2007037739.tif 000009
【図８】
2007037739.tif 000010
【図９】
2007037739.tif 000011